(57)【要約】【課題】画像の暗い部分の見にくさを効果的に解消する撮像装置を提供する。【解決手段】撮像装置は、撮像動作を行う撮像素子を備える。撮像動作により得られた画像信号に基づいてスルー画像を表示する表示部５０を備える。スルー画像を表示する際に、画像明るさ調整として、画像信号に対してガンマポイントを修正するガンマ調整処理、画像信号の画像輝度値の倍率補正処理、及び画像信号の画像輝度値の加算補正処理のうち少なくとも１つが行われ、且つ表示部５０のバックライトの輝度値を上げる処理が行われる。【選択図】図２
2008193211.tif 000002
【特許請求の範囲】
【請求項１】
撮像動作を行う撮像素子と、
前記撮像動作により得られた画像信号に基づいてスルー画像を表示する表示部とを備え、
前記スルー画像を表示する際に、画像明るさ調整として、前記画像信号に対してガンマポイントを修正するガンマ調整処理、前記画像信号の画像輝度値の倍率補正処理、及び前記画像信号の画像輝度値の加算補正処理のうち少なくとも１つが行われ、且つ前記表示部のバックライトの輝度値を上げる処理が行われることを特徴とする撮像装置。
【請求項２】
前記画像明るさ調整を行う指示のために使用される操作部をさらに備えることを特徴とする請求項１に記載の撮像装置。
【請求項３】
前記画像信号が逆光状態において撮像されて得られたものか否かの逆光判断を行う判断部をさらに備え、
前記逆光状態において撮像されたと判断された場合に、前記ガンマ調整処理、前記倍率補正処理、及び前記加算補正処理のうち少なくとも１つが行われることを特徴とする請求項１に記載の撮像装置。
【請求項４】
前記逆光判断は、測光データに基づいて行われることを特徴とする請求項３に記載の撮像装置。
【請求項５】
前記バックライトの輝度値を上げる処理を行う指示がされた場合に、前記逆光判断が行われることを特徴とする請求項３に記載の撮像装置。
【請求項６】
ストロボ発光を伴う撮像動作を行う指示が行われた場合に、前記ガンマ調整処理、前記倍率補正処理、及び前記加算補正処理のうち少なくとも１つが行われることを特徴とする請求項１に記載の撮像装置。
【発明の詳細な説明】
【技術分野】
【０００１】
本発明は、撮像装置に関し、特にスルー画像の明るさ調整を行う撮像装置に関する。
【背景技術】
【０００２】
撮像装置における表示装置で表示される画像を明るくする撮像装置が提案されている。
【０００３】
特許文献１は、表示装置のバックライトの発光輝度を上げて画像を明るくする撮像装置を開示する。
【特許文献１】特開２００２−３４４７７８号公報
【発明の開示】
【発明が解決しようとする課題】
【０００４】
しかし、バックライトの輝度を高くしても、画像の暗い部分の見にくさは解消されない場合もある。
【０００５】
したがって本発明の目的は、画像の暗い部分の見にくさを効果的に解消する撮像装置を提供することである。
【課題を解決するための手段】
【０００６】
本発明に係る撮像装置は、撮像動作を行う撮像素子と、撮像動作により得られた画像信号に基づいてスルー画像を表示する表示部とを備え、スルー画像を表示する際に、画像明るさ調整として、画像信号に対してガンマポイントを修正するガンマ調整処理、画像信号の画像輝度値の倍率補正処理、及び画像信号の画像輝度値の加算補正処理のうち少なくとも１つが行われ、且つ表示部のバックライトの輝度値を上げる処理が行われる。
【０００７】
好ましくは、画像明るさ調整を行う指示のために使用される操作部をさらに備える。
【０００８】
また、好ましくは、画像信号が逆光状態において撮像されて得られたものか否かの逆光判断を行う判断部をさらに備え、逆光状態において撮像されたと判断された場合に、画像明るさ調整が行われる。
【０００９】
さらに好ましくは、逆光判断は、測光データに基づいて行われる。
【００１０】
また、好ましくは、バックライトの輝度値を上げる処理を行う指示がされた場合に、逆光判断が行われる。
【００１１】
また、好ましくは、ストロボ発光を伴う撮像動作を行う指示が行われた場合に、ガンマ調整処理、倍率補正処理、及び加算補正処理のうち少なくとも１つが行われる。
【発明の効果】
【００１２】
以上のように本発明によれば、画像の暗い部分の見にくさを効果的に解消する撮像装置を提供することができる。
【発明を実施するための最良の形態】
【００１３】
以下、本発明の実施形態について、図を用いて説明する。第１実施形態における撮像装置１は、撮像ブロック１０、制御部３０、メモリ部４０、液晶部とバックライトを有する表示部５０、及び操作部６０とを備える（図１参照）。第１実施形態では、撮像装置１は、デジタルカメラである。
【００１４】
撮像ブロック１０は、撮像光学系、ＣＣＤやＣＭＯＳなどの撮像素子、及び信号処理回路を有する。被写体像が撮像光学系を介して投影された光学像は、撮像素子の撮像面に結像される。撮像素子は、光学像を光電変換によって電気信号に変換する。撮像素子で一定時間（露光時間）蓄積された後、読み出しされた電荷に基づく電気信号は、信号処理回路に出力される。信号処理回路は、撮像されて得られた被写体の電気信号を、画像信号として制御部３０に出力する。
【００１５】
制御部３０は、画像信号をメモリ部４０へ記録する画像データへの変換、表示部５０で表示するための画像処理、及び各部の制御を行う装置で、ＤＳＰ（Ｄｉｇｉｔａｌ  Ｓｉｇｎａｌ  Ｐｒｏｃｅｓｓｏｒ）３１、サンプルホールド部３２、ガンマ補正部３３、増幅部３４、オフセット部３５、ＤＡＣ（Ｄｉｇｉｔａｌ  Ａｎａｌｏｇｕｅ  Ｃｏｎｖｅｒｔｏｒ）３６、及びタイミングジェネレータ３７を有する。
【００１６】
具体的には、撮像ブロック１０から出力された画像信号は、ＤＳＰ３１において、表示部５０で表示するための画像処理が行われ、サンプルホールド部３２において、表示部５０のドット配列に対応するデータにサンプルホールドされ、ガンマ補正部３３でガンマ補正処理され、増幅部３４でゲイン調整され、表示部５０に対応したＬＣＤ用ＩＣなどのオフセット部３５で映像信号の画像輝度値の加算補正処理が行われ、ＤＡＣ３６でＤ／Ａ変換されて、表示部５０に出力される。表示部５０の表示タイミング制御は、ＤＳＰ３１の制御の下でタイミングジェネレータ３７から出力されるタイミングパルスに基づいて行われる。
【００１７】
オフセット部３５における画像輝度値の加算補正処理（オフセット処理）は、表示画像を明るくして輝度値の低い領域を見やすくする補正処理であり、メモリ部４０への記録を伴わず一定時間間隔で撮像した静止画を連続して表示するスルー画像表示（ライブビュー表示）のための画像処理において、明るさ調整処理を行う場合に行われる。
【００１８】
メモリ部４０は、撮像により得られた画像データを、所定のファイル形式（ＪＰＥＧ形式など）で記録する。表示部５０は、撮像により得られた画像信号に基づく画像や操作に関する情報を表示する。
【００１９】
操作部６０は、スルー画像の暗い部分を見やすくする明るさ調整処理を行うためのオン／オフボタン（不図示）を有する。
【００２０】
明るさ調整処理を行うためのオン／オフボタンがオン状態にされると、表示部５０における画像表示のうちでスルー画像表示の際に、オフセット部３５によるオフセット処理や、表示部５０のバックライトの輝度値を上げる操作が行われる。バックライトの輝度値を上げる処理は、バックライトを構成するＬＥＤなどに流す電流値を増加させることなどによって行われる。但し、メモリ部４０に記録する静止画を表示部５０に表示する際には、オフセット部３５によるオフセット処理は行われない。
【００２１】
これにより、スルー画像が、明るさ調整処理が行われない場合に比べて明るくされ、スルー画像の暗い部分が見やすくなる。そのため、撮像装置１が太陽など強い外光下で使用され、外光が表示部５０の表面などで反射する反射光によって表示部５０に表示された画像が見にくくなる状態を解消することが可能になる。外光が明るい場合、使用者の瞳孔は絞られて、特に暗い部分の画像を視認することが難しくなっているが、第１実施形態のように、スルー画像表示を明るくする処理が行われるため、暗い部分についても視認性を高めることが可能になる。
【００２２】
表示部５０のバックライトの輝度を上げることだけによっても、画像を明るくして見やすくすることが可能であるが、バックライトの輝度を高くしてスルー画像全体を明るくしても、暗い部分はバックライトによって白っぽく表示されるだけで見にくさが解消されない場合がある。しかしながら、第１実施形態のように、オフセット処理で画像輝度値を加算補正して暗部の輝度を中間域にシフトすることと、バックライトの輝度を上げることを組み合わせることにより、スルー画像を明るくし暗い部分の見にくさを効果的に解消することが可能になる。また、バックライトの輝度を上げるだけの形態に比べて、消費電力を抑えて、スルー画像の暗い部分の見にくさを解消することが可能になる。
【００２３】
次に、第２実施形態について説明する。第２実施形態では、ＤＳＰ３１において、画像信号に基づく測光データから、被写体のＬＶ（Ｌｉｇｈｔ  Ｖａｌｕｅ）値、画像中央部と周辺部のコントラストを算出し、これらから画像信号が逆光状態で撮像されて得られたものか否かの逆光判定を行い、逆光であると判断された場合に自動的にオフセット処理を行う点で第１実施形態と異なる。バックライトの輝度値アップは、操作部６０の操作に基づいて、逆光判断とは独立して行われる。
【００２４】
具体的には、測光データから得られるＬＶ値が所定の値以上の明るさであって、かつコントラスト比が所定の値以上に大きい（中央部が暗く、周辺部が明るい）場合に、逆光状態で撮像されたと判断される。逆光状態で撮像された場合は、周辺部の明るい部分の影になって、見にくい（視認しにくい）暗い部分がある。第２実施形態では、このような場合に、自動的にスルー画像を明るくするオフセット処理が行われるため、スルー画像の暗い部分が見にくい状態を効果的に解消することが可能になる。
【００２５】
次に、第２実施形態におけるオフセット処理の流れを図３のフローチャートを用いて説明する。ステップＳ１１で、撮像ブロック１０によりスルー画像を表示するための画像信号が出力され、ステップＳ１２で、制御部３０により画像信号に対する画像処理が行われ、表示部５０においてスルー画像表示が行われる。
【００２６】
ステップＳ１３で、表示部５０のバックライトの輝度値を上げるための操作部６０の操作が行われたか否かが判断される。行われた場合には、ステップＳ１４で、操作部６０の操作状態に応じて、表示部５０のバックライトの輝度値が上げられる。行われない場合には、ステップＳ１５に進められる。
【００２７】
ステップＳ１５で、レリーズボタンの半押し動作などに基づく測光動作が行われる。ステップＳ１６で、画像信号に基づく測光データから、画像信号が逆光状態で撮像されて得られたものかどうかの逆光判断が行われる。逆光状態であると判断された場合には、ステップＳ１７で、表示部５０で表示されるスルー画像に対応する画像信号に対してオフセット処理が行われる。逆光状態であると判断されなかった場合には、ステップＳ１８に進められる。
【００２８】
ステップＳ１８で、レリーズボタンの全押し動作など撮像動作を始めるための操作が行われたか否かが判断される。行われた場合には、ステップＳ１９で、撮像動作が行われる（撮影ループに入る）。撮影ループにおいては、ステップＳ１７で行われたオフセット処理は反映されない。行われなかった場合には、終了ボタンの押下など撮像装置１の動作を終了させる（電源をオフにする）操作が行われたか否かが判断される。行われなかった場合にはステップＳ１１に進められる。行われた場合には、撮像装置１の動作が終了される。
【００２９】
なお、第２実施形態における逆光状態の判別（オフセット処理を行うか否かの判別）を、測光データに基づいて行う形態を説明したが、これに代えて、撮像装置１を使った撮像動作においてストロボ発光動作を行うか否かの判断に基づいて行ってもよい。逆光状態における撮像動作では、ストロボ発光を伴う撮像動作が行われる場合が多いため、撮像装置１にストロボ発光指示が行われている場合に、逆光状態にあると判断するものである。また、ストロボ発光指示の有無による逆光判別と、測光データに基づく逆光判別の両方を行ってもよい。
【００３０】
また、逆光判別（オフセット処理を行うか否かの判別）は、ステップＳ１３における表示部５０のバックライトの輝度値を上げるための操作部６０の操作が行われたことを条件に行ってもよい。逆光状態におけるスルー画像表示確認では、影になった被写体を見やすくするために表示部５０のバックライトの輝度値を上げる操作が行われる場合が多いため、かかる操作が行われた場合に、逆光状態を判断し明るさ調整としてのオフセット処理を行うものである。
【００３１】
第１、第２実施形態では、スルー画像を明るくして暗い部分を見やすくするために、オフセット部３５によるオフセット処理が行われる形態を説明したが、画像信号に対してガンマ補正部３３によるガンマ補正においてハイライトとシャドウの中間にあるガンマポイントを修正するガンマ（中間調）の調整や、増幅部３４によるゲイン調整において画像信号の画像輝度値の倍率を補正することによって、スルー画像を明るくする明るさ調整処理を行ってもよい。
【図面の簡単な説明】
【００３２】
【図１】第１、第２実施形態における撮像装置の構成図である。
【図２】制御部の詳細を示す構成図である。
【図３】第２実施形態におけるオフセット処理の流れを示すフローチャートである。
【符号の説明】
【００３３】
１  撮像装置
１０  撮像ブロック
３０  制御部
３１  ＤＳＰ
３２  サンプルホールド部
３３  ガンマ補正部
３４  増幅部
３５  オフセット部
３６  ＤＡＣ
３７  タイミングジェネレータ
４０  メモリ部
５０  表示部
６０  操作部
【図１】
2008193211.tif 000003
【図２】
2008193211.tif 000004
【図３】
2008193211.tif 000005